(57)【要約】　　　（修正有）【課題】朱肉面が印鑑の刻面の面積をやや上回る程度の面積の朱肉皿でも擦り減った印鑑の刻面の周囲に朱肉インキを付着させることができ，吸蔵体室をもつ朱肉皿や、朱肉タンクをもつ朱肉皿でも印鑑の刻面の周囲に朱肉インキが過剰に付着しない朱肉皿を提供する。【解決手段】クッション体と液伝体を上下させる事によって朱肉インキ供給源と朱肉インキ吸収源の接触の有無を発生させ、かつ押し下げられた際には朱肉インキの供給を断ち、かつクッション体の周囲が持ち上げられ刻面の周囲に朱肉インキを付着させると同時にクッション体の周囲に圧力を加える。クッション体の下部もしくは内部の一部に縮小しにくい物質を設置し一部のみ強く圧迫されるようにする。表布に適した繊維を立体的に織りクッション性を持たせる。クッション体の下部に環状の空間を設ける。【選択図】　図１７
2004034676.tif 000002
【特許請求の範囲】
【請求項１】
直径が数マイクロ以下の超極細繊維でクッション性をもつように立体的に織られた生地を表布兼クッション体として使用したことを特徴とする朱肉皿。
【請求項２】
朱肉面の面積が印鑑の刻面の面積をやや上回るだけの朱肉皿においてクッション体の下にクッション体を押し上げるためのバネを有し、印鑑の刻面の圧力によりクッション体が上下に可動し、クッション体が押し下げられた際、クッション体の周囲が朱肉皿主部の狭窄部との抵抗や内壁との摩擦によりクッション体の周囲が上がり、擦り減った印鑑の周囲に朱肉インキを付着させ、かつクッション体の周囲を印鑑の刻面の周囲より高く位置させることを特徴とする朱肉皿。
【請求項３】
キャップを閉めている間は常にクッション体が圧迫される構造の筒状の印鑑ケースに内蔵する朱肉皿において、クッション体の下部もしくは内部にクッション体の下面もしくは上面の面積より小さい面積をもつ、圧迫されても体積が大きく変化しない物質を設置した事を特徴とする朱肉皿
【請求項４】
保液室をもつ朱肉皿において、閉塞体と閉塞板と貯液体を有し、朱肉面に圧力が加わらない際には閉塞板と閉塞体の間に位置するバネの作用により閉塞板と閉塞体が離れ、液室液伝体が貯留体に接触し朱肉インキを供給し、朱肉面に圧力が加わった際には閉塞体が押し下げられ、その閉塞体が液室液伝体を保液室方向に押し下げ、閉塞板の穴に閉塞体が挿入され閉塞板の穴を塞ぎ、貯液体への朱肉インキの供給を遮断することを特徴とする朱肉皿
【請求項５】
保液室の朱肉インキが液伝体の毛細管作用を利用せず液伝体と朱肉皿内壁の間を伝わりクッション体に過剰なインキを供給することを防ぎ、かつクッション体が圧迫された際、圧し出された朱肉インキが逃げるために、クッション体の下部に液伝体を取り囲む環状の空間をもつことを特徴とする朱肉皿。
【請求項６】
保液室をもつ朱肉皿において、バネを朱肉タンクもしくは吸蔵体と、クッション体との間に内蔵し、朱肉面に圧力がかかり、液伝体が押し下げられた際に朱肉タンクに通じる通液穴周囲の貯液体、もしくは吸蔵体や保液室液伝体に液伝体が接触し朱肉インキが供給され、圧力がかからない際にはバネの作用により液伝体が押し上げられ、液伝体が貯液体、もしくは吸蔵体や保液室液伝体より離れ、朱肉インキが供給されない事を特徴とする朱肉皿。
【発明の詳細な説明】
【０００１】
《発明の属する技術分野》
本発明は朱肉皿に関する。
【０００２】
《従来の技術》
本発明者は本発明に関係する考案を申請している（実願２００１００７８８５）（実願２０２０００８０２８６）
そしてこの朱肉カートリッジは実願２０２０００８０２８６の印鑑ケース用に研究開発されている。（図１９）
【０００３】
従来、朱肉皿は、綿やスポンジなどの吸蔵体の毛細管作用を利用し朱肉インキを吸収させ、調節体や表布を配設した構造をもっている。
【０００４】
そのため、捺印する際その朱肉面に印鑑の刻面を押し付け、吸蔵体を圧迫し、吸蔵体の朱肉インキを朱肉面にしみ出させ、印鑑の刻面に、適度に朱肉インキを付着させ捺印する。そして一定の圧力で表布にインキのしみ出す量はその吸蔵体が含むインキの量に比例する。
【０００５】
したがって印鑑の刻面に一定の朱肉インキを付着させ良好な捺印を得ようとすれば、吸蔵体に含まれる朱肉インキの量の変化にあわせて朱肉面に刻面を圧しつける圧力も変化させなくてはならない。つまり吸蔵体の朱肉インキの含有量が多いときには刻面を軽く圧しつけ、朱肉インキを使用し吸蔵体の含有量が少なくなるにしたがい、刻面を強く圧しつけなくてはならない。
【０００６】
それは、印鑑本体を手に持ち卓上型の朱肉皿を使用した場合や、キャップ内部の可動式の朱肉皿を使用時にキャップ底のボタンを押し、朱肉皿の朱肉面を刻面に圧しつけるタイプの印鑑ケース（例えば、実第２５４２３０７号、特開平１１−３４４６３、特開２０００−２２９４６６等）では可能ではあるが、吸蔵体の朱肉インキの含有量の減少に応じて刻面を圧しつける圧力を調節しなくては良好な捺印を得られず、確実に良好な捺印を得ようとすれば朱肉インキの付着量を確認する必要もある。
【０００７】
また、キャップ内部に固定式の朱肉皿をもつ筒状の印鑑ケース（例えば実昭５６−１９５３２、実昭６２−１０２６６２等）やキャップ底部と可動式の朱肉皿の間にバネを設けた筒状の印鑑ケース（例えば実第３００４１７８号、特開平１１−１２９４９８等）では圧力の調整はできない。
【０００８】
たとえ筒状の印鑑ケース本体にネジ式等の印鑑本体を押し出す機構をもたしたとしても、固定式の朱肉皿をもつ印鑑ケースの場合には圧力の調整は可能ではあるものの、吸蔵体の朱肉インキの減少に応じて調節するのは煩わしく、朱肉皿の下にバネをもつ印鑑ケースの場合には、朱肉皿が押し下げられるだけなので大きな効果は得られない。
【０００９】
そして、一般の朱肉皿のように綿やスポンジ等の吸蔵体に朱肉インキを含ませ、その吸蔵体に圧力を加えることにより、朱肉インキを朱肉面に供給する方法では、吸蔵体に一定以上のインキを含ませると少し圧力を加えただけでインキが表布に過剰にしみ出し、捺印が不鮮明になるため、その吸蔵体が毛細管作用により含有できるインキの量を下まわる量しか含ませることができず、しかも実願２０２０００８０２８６のように、捺印するとき以外は常に朱肉面に圧力がかかる印鑑ケースの場合、長期間使用する間、圧迫され続ける吸蔵体が徐々に圧縮され、頻繁に使用しなければ含有する朱肉インキを朱肉面にしみださせ捺印が不鮮明になる恐れがあり、さらに朱肉インキの含有量を少なくする必要があると考える。したがって朱肉皿の体積が大きな卓上型の朱肉皿では問題はないが、印鑑ケースに内蔵する体積の小さな朱肉皿では実務に使用した場合に不便と感じないほどの捺印回数を得ることが難しいと考える。
【００１０】
故に、ある程度捺印し続けても印面に安定して朱肉インキを供給し、捺印可能回数を増やすためには、吸蔵体が圧力を受けない構造をもち朱肉インキを飽和状態に含んだ吸蔵体を設置できる吸蔵体室をもつ朱肉皿、もしくは朱肉インキそのものを封入した朱肉タンクをもつ朱肉皿などの保液室を備えた朱肉皿が有効と考えられ、朱肉インキを封入した朱肉タンクをもつ朱肉皿は考案もされている（実開平６−４２２００）
【００１１】
しかし、この考案と似た朱肉タンクをもつ試作品と、その朱肉タンク内に朱肉インキを毛細管作用の飽和状態に含有させた密度の低いスポンジを設置し、通液穴を大きくしてフェルトを挿入し、朱肉インキをクッション体に供給する試作品を作成し、この実願２０２０００８０２８６の印鑑ケースで実験したところ、下記のような問題が明らかとなった。
【００１２】
この朱肉皿は印鑑を挿入していない状態で印鑑ケースに内蔵し、また交換用に単体で販売されることが想定され、最低数週間から数年間保管されると予想される、つまり製造されてから使用されるまで、長期間朱肉面に圧力がかかっておらず、圧力のかかっていない液伝体やクッション体は体積が大きく密度が低いため、その材料がもつ毛細管作用の限度いっぱいまで、朱肉タンクから供給される朱肉インキを吸収してしまうと、圧縮された際、含んでいた朱肉インキが大量に圧し出され、朱肉面にしみだし捺印が不明瞭となる。また使用開始後も卓上型の朱肉皿を併用するなど、長時間キャップを閉めない状態が発生すれば、また朱肉インキが過剰に供給され捺印が不明瞭となり、圧力のかからないクッション体に良好な捺印が可能となる程に吸蔵体に含ませる朱肉インキの量を減らせば捺印可能回数が少なくなる。飽和状態に朱肉インキを含有した場合にも圧迫された際の朱肉インキの放出が良好な捺印が可能な限度内で、良好なクッション性と毛細管作用をもつ材料を発見することができればこの問題を解決することができると考え、さまざまな材料で試作と実験を繰り返しているが、いまだ見つけられないでいる。
【００１３】
また、長期間使用された印鑑の周囲は擦り減っていることが多く、朱肉面の大きな卓上型の朱肉皿を使用すれば、朱肉面に印鑑の刻面を押し付けた際、印鑑を圧しつけた周囲の朱肉面が回りの朱肉面に引っ張られ、沈み込むような形となり擦り減った印鑑の周囲にも朱肉インキを付着させるが、筒状の印鑑ケースに内蔵する、印鑑の刻面の直径にやや大きい程度の大きさの朱肉面をもつ朱肉皿では、印鑑を押し付けた周囲の朱肉面が回りの朱肉面に引っ張られることがなく、しかも筒状の印鑑ケースに内蔵した場合、卓上の朱肉皿を使用する際のように朱肉面に印鑑の刻面を圧しつける角度を変化させる事ができないため、擦り減った印鑑の周囲に朱肉インキが付着しにくい傾向がある。そのことに対処するために厚く柔らかいクッション体を使用すれば圧迫された際朱肉インキの放出が多すぎ、また柔らかいクッション体は長期間圧迫されるとその復元力を低下させやすいなどの問題がある。
【００１４】
また長時間、実案２０２０００８６の印鑑ケースで使用すると過剰に朱肉インキがクッション体に過剰に供給され捺印が不鮮明になったり、捺印の中央は良好な状態にもかかわらず捺印の周囲は過剰なインキが付着し、捺印が不明瞭になる試作品が見られた。これは毛細管作用の飽和状態に朱肉インキを含んだ吸蔵体室や朱肉インキを封入した朱肉タンクなど保液室をもち、圧力が加わらなくてもその朱肉インキを絶えずクッション体に供給しようとする朱肉皿の場合、時間が経過するとクッション体はその毛細管作用の飽和状態にまで朱肉インキを含もうとするためにおこると考えられ、またある程度朱肉インキの供給量を制御しても、クッション体の保有する朱肉インキの含有量が多くなれば、圧迫されていない印鑑の刻面の周囲の密度の低いクッション体は、圧迫され密度の低いクッション体の部分から徐々に朱肉インキを吸収し、その朱肉インキの含有量が一定限度を越すと、朱肉面周囲にしみ出し、しみ出したその朱肉インキが朱肉皿内壁や印鑑の周囲に接すると毛細管作用が発生し、さらに朱肉インキがしみ出し、その場所に朱肉インキが蓄積されるためと考える。
【００１５】
また、朱肉皿は印鑑の刻面に朱肉インキを均等にかつ適度に付着させるために、クッション性をもったクッション体をもつことが不可欠と考えるが、実願２０２０００８０２８６のようにキャップを閉めている間は常に朱肉皿に一定の圧力がかかる印鑑ケースを使用した場合、そのクッション体は長期間、圧迫圧縮されることとなる。そして毛細管作用と弾力性を合わせ持つ物質のおおくは程度の差はあるものの長時間、圧迫圧縮されると徐々に復元力を失い、密度が高くなりその物質のもつ毛細管作用の性質を変化させると考える。
【００１６】
そのため実願２０２０００８０２８６のようなタイプの印鑑ケースで朱肉皿を長期間使用するとクッション体の復元力が徐々に低下し圧し固められ、クッション体の密度が高くなり、朱肉インキの含有量と供給量が低下し、使い始めは良好な捺印が得られても長期間使用すると印鑑の刻面に付着する朱肉インクの付着量が少なくなり、捺印が薄くなったり、連続して捺印する場合、捺印と捺印の時間の間隔を長くしなくてはならない問題が生じると考える。またクッション体の材質によっては、連続して捺印すると朱肉インキの色彩が薄く変化する傾向も見られ、これは圧し固められ密度の高くなったクッション体を朱肉インキが移動する際、溶媒と色素の分子が分離するためと考えられる。（濾紙クロマトグラフィーと同じ原理と考える）
【００１７】
また、クッション体の上に良好な捺印を可能とするため、超極細繊維等の表布を設置し、長期間圧迫すると朱肉インキが表布にしみだし捺印が不明瞭になる現象が認められた。数多くの実験結果から考察すると、これは印鑑の刻面に圧迫されない部分のクッション体と表布の間に毛細管作用により朱肉インキが貯留するためと考えられる。クッション体と表布を密着させればこの問題を解決することかできると考え、通液性を損なわないように接着剤を使用しクッション体と表布を密着させたが、良好な密着性を得られるほど接着面積を多くすれば通液性が低下し連続捺印に支障をきたす上、薄い表布に毛細管作用を損なわずに接着できる接着剤は種類が限られ、入手できた数種類の接着剤を使用し試作品を作成し実験を行ったところ、実験に使用した接着剤では朱肉インキの溶媒に長期間さらされるとすべて接着力を失ったり弱くなりはがれてしまった。異なる浸透性の発砲ゴムを一体成型したゴム印のように、布と発砲ゴムやスポンジを一体成型すれば、はがれることはないと考えられるが、本発明者の実験結果に限って考察すれば、発砲ゴムやスポンジは形成体の密度が低く、大量に朱肉インキを含むうえ弾力性が弱く、弱い圧力でもたやすく朱肉インキを大量に放出し、かつ圧迫され続けると、たやすくその復元力を低下させる傾向があるため実案２０２０００８０２８６のような常に朱肉面に圧力のかかる筒状の印鑑ケースに使用する朱肉皿のクッション体の材料としては不向きと思われる。
【００１８】
そして保液室をもち、圧縮されないでも朱肉インキを供給することを特徴とする朱肉皿は、一般の吸蔵体をもつ朱肉皿とは異なり、朱肉インキで飽和状態の密度の低いスポンジなどの吸蔵体は、朱肉インキを留まらせるための力が低く、適度な毛細管作用をもつ液伝体を使用しても、毛細管作用をもつ材料の断面は粗く密封効果が得られないため、液伝体やクッション体に接する朱肉皿の内壁との間を朱肉インキが伝わり、表布の周囲に朱肉インキがしみだし捺印が不明瞭となる。液伝体を長くすればある程度の密封性が得られるかもしれないが、できたとしても筒状の印鑑ケースに内蔵する限られたサイズの朱肉皿では吸蔵体を小さくしなくてはならない。また液伝体の周囲を樹脂や接着剤でで固め朱肉皿の内壁と一体化させれば朱肉インキは伝わらないが、手間がかかるうえ液伝体に接着剤がある程度しみこむため、品質が不安定になる可能性が高く、特殊な機器や方法を開発しない限り量産に適した方法とは思えない。
【００１９】
また、朱肉皿は印鑑の刻面に朱肉インキを均等に、かつ適度に付着させるために、クッション性と毛細管作用をもったクッション体をもつことが不可欠と考えるが、朱肉インキを含んだクッション体は圧迫されると圧縮された部分の朱肉インキが圧し出され、朱肉面の大きな卓上型の朱肉皿では圧し出された朱肉インキが周囲の圧迫されていないクッション体の部分にある程度逃れ、良好な捺印を得ることができるが、筒状の印鑑ケースに内蔵する小型の朱肉皿では朱肉面の面積が小さく、圧し出された朱肉インキが周囲に逃げる事ができないため、表布を通過し朱肉面に圧し出され、捺印が不明瞭となりやすい。
【００２０】
《発明が解決しようとする課題》
保液室をもつ朱肉皿の朱肉面に圧力が加わらない状態、もしくは圧力が加わった状態で長期間保管しても朱肉インキがクッション体に過剰に伝わらないようにする。
朱肉皿の朱肉面に圧力が加わった状態で長期間保管してもクッション体の弾力性と毛細管作用の低下を良好な捺印が可能な範囲に止める。
朱肉面の面積が印鑑の刻面の面積よりやや大きいだけの朱肉皿でも、ある程度刻面の周囲が擦り減った印鑑の刻面の周囲に朱肉インキを付着させる。
クッション体がある程度過剰に朱肉インキを含んだ状態で長期間圧迫した後、捺印しても捺印の周囲が不明瞭にならない。
クッション体と表布の間に朱肉インキが毛細管作用により朱肉インキが貯留し、捺印が不明瞭となる現象をなくす。
朱肉面が小さな朱肉皿のクッション体が、ある程度過剰に朱肉インキを含んだ際に圧迫されても朱肉面に朱肉インキが捺印が不明瞭となるほどしみ出さず、かつ保液室の朱肉インキが液伝体自体の毛細管作用を利用せず液伝体と朱肉皿の内壁との間を伝わりクッション体に過剰な朱肉インキを供給する現象をなくす。
【００２１】
《課題を解決するための手段》
（この申請書において朱肉皿内の吸蔵体に圧力がかからない構造をもち、毛細管作用の飽和状態に朱肉インキ含んだ吸蔵体を収める部分を吸蔵体室、朱肉皿内の朱肉インキを封入する部分を朱肉タンク、吸蔵体室や朱肉タンクなど朱肉インキを保持する部分を保液室とする）
【００２２】
本発明の朱肉皿（図１８）は、朱肉面を保護し朱肉カートリッジを印鑑ケースキャップ内に押し込んだ際、指先が汚れないようにするシール（１）、超極細繊維により立体的に織られた生地を使用した表布クッション体（２）、閉塞体（４）を有するを縮小防止体（３）、拡散布（５）、液伝体（６）、隔離板（７）、台バネ（８）、漏れ防止シール（９）、貯液体（１０）、閉塞板（１１）、保液室液伝体（１２）、保液室バネ（１３）、それらの構造物を収め、保液室（１６）を形成するための隔壁（１７）をもつ朱肉皿主部（１４）、そして朱肉皿支持体（１８）から構成される。
【００２３】
朱肉皿主部（１４）の通液穴（１９）を有する隔壁（１７）上部の下部狭窄部（１５）に、中央に穴の空いた非浸透性のゴム板などの閉塞板（１１）と中央に穴（２１）の空いた適度な毛細管作用と大きさをもつ布などの貯液体（１０）を設置する。閉塞板（１１）は中央の穴（２０）以外から朱肉インキが漏れることのないよう接着剤などで隔壁（１７）上部に密着される。そして貯液体（１０）の上に、閉塞体（４）が通過するための穴（２２）とその周囲に朱肉インキを供給するための穴（２３）をもつ漏れ防止シール（９）を設置する。そしてそれらの穴を貫通する保液室液伝体（１２）を設置し、プラスチックやステンレス鋼の薄板など弾力性をもつ材質の保液室バネ（１３）を保液室（１６）に設置する。保液室バネの周囲は設置された後に動かないように周囲に鋭角の剌をもち保液室の内壁にくい込む、又は接着され、常に保液室液伝体（１２）を上方に押し上げ、貯液体（１０）に保液室液伝体（１２）を接触させる働きをする。
【００２４】
保液室液伝体（１２）は圧縮されたフェルトなど毛細管作用をもつ材料で作られ、保液室（１６）に入れられた朱肉インキは保液室液伝体（１２）の毛細管作用により吸収され、通液穴（１９）と閉塞板（１０）の穴（２０）と貯液体（１０）の穴（２１）を通り漏れ防止シール（９）の中央の穴（２２）まで達する。布などの毛細管作用をもつ材質の貯液体（１０）は貯液体の穴（２１）の周囲より朱肉インキを吸収し、毛細管作用の限度一杯まで朱肉インキを吸収するとそれ以上は吸収しようとはしない。
【００２５】
しかし長期間そのまま放置すると貯液体（１０）に毛細管作用の限度一杯に含まれた朱肉インキは朱肉皿内壁との毛細管作用により徐々にしみだしクッション体に達してしまうため、中央とその周囲に穴を開けた漏れ防止シール（９）を設置する。漏れ防止シール（９）の周囲は朱肉皿主部（１４）内壁の下部狭窄部（１５）の上部に接着、もしくは溶着され、貯液体（１０）の周囲から朱肉インキが漏れることを防ぎ、中央の穴（２２）とその周囲の穴（２１）には毛細管作用が働かないため、朱肉インキの表面張力により中央の穴やその周囲の穴から朱肉インキが漏れることはない。そして液伝体（６）が押し付けられた際には中央の穴の周囲に開けられた穴（２３）により貯液体（１０）と液伝体（６）が接触し朱肉インキの供給を可能とする。
【００２６】
そしてステンレス鋼の薄板など弾力性のある物質で作られた台バネ（８）もしくはコイルバネ、液伝体（６）と閉塞体（４）、そして拡散布（５）以上の上部構造物をささえ可動する隔離板（７）、中央に閉塞体（４）を通すための穴をもち、隔離板の穴（２４）を貫通する直径の液伝体（６）、拡散布（５）、閉塞体（４）を有する縮小防止体（３）、表布クッション体（２）、を配設する。閉塞体（４）は縮小防止体（３）から拡散布（５）と液伝体（６）を貫通し液伝体（６）の下部に突出し、液伝体（６）は液伝体（６）の中央を貫通する閉塞体（４）との摩擦により拡散布（５）に密着される。
【００２７】
台バネ（８）は圧力がかからない際には隔離板（７）を押し上げるため、液伝体（６）が漏れ防止シールの穴より離れ、朱肉インキが液伝体（６）に伝わらない、したがって長期間圧力が加わらない状態で保管した後でも良好な捺印が可能となる。（図１６）
【００２８】
そして朱肉面に圧力がかかった際には隔離板（７）以上の構造物と液伝体（６）と閉塞体（４）が押し下げられ、閉塞体（４）は保液室液伝体（１２）を保液室方向に押し下げ、閉塞板（１１）の穴（２０）に挿入される。閉塞体（４）の直径は閉塞板の穴（２０）の直径よりやや大きく、保液室（１６）からの朱肉インキの供給を止める。同時に液伝体（６）が漏れ防止ール（９）の周囲の穴（２３）を通して貯液体（１０）に接触し、朱肉インキを吸収し、拡散布（５）に供給し、拡散布（５）は表布クッション体（２）に朱肉インキを供給する。貯液体（１０）はその含有する朱肉インキを液伝体（６）に供給すると保液室（１６）から朱肉インキを吸収できないのでそれ以上朱肉インキを液伝体（６）に供給しない。
ただし、保液室液伝体の下部が保液室に突出するため保液室に吸蔵体を設置した場合はその吸蔵体が弾力性をもち、かつ閉塞体により押し下げられた保液室液伝体に押され移動しないように固定する必要がある。
【００２９】
以上のような機構とし、貯液体の材質や厚さなど、朱肉インキを毛細管作用で含有する朱肉インキの量を適度に調節してやる事により、朱肉皿に圧力を加えない時間の長短や、印鑑の刻面の面積の違いにより捺印の濃淡はある程度生じる可能性はあるもののその濃淡は実用可能な範囲に止められ、長期間朱肉皿に圧力が加わっても朱肉タンクより無制限にクッション体に朱肉インキが供給され捺印が不明瞭になることはない。
【００３０】
ただし、保液室に各種の吸蔵体を収めた試作品で実験したところ、クッション体に圧力を加えた状態で保管してやれば、閉塞板や閉塞体、貯液体などを設置し保液室からの朱肉インキの供給を遮断したり、朱肉インキを一時的に止める機能がなくとも、捺印可能回数は多くないものの捺印が不明瞭になることがない試作品があり、実案２０２０００８０２８６の印鑑ケースを使用すれば比較的簡単に朱肉インクの補充が可能なため実用上問題はないと言え、その場合は朱肉面に圧力が加わった際に液伝体（朱肉インキ吸収源）を保液室の吸蔵体や保液室液伝体（朱肉インキ供給源）に接触させ、朱肉インキを吸収させればよい。
【００３１】
そして台バネ（８）は一部が下方に折れ曲がり台足（２５）を形成し、ある程度隔離板（７）が押し下げられると圧力を朱肉皿主部（１４）の隔壁（１７）が受け止め、隔離板（７）がそれ以上下がらないため、液伝体（６）はある程度以上圧迫されることがなく、長期間強く圧迫される事により復元力と毛細管作用が著しく低下することを防ぐとともに、液伝体（６）と朱肉皿主部（１４）の内壁との間に過剰な朱肉インキが逃れるための、液伝体を取り囲む環状の空間、環状空間（２６）を形成する。
【００３２】
また、表布クッション体と朱肉皿主部との間に摩擦を発生させ、表布クッション体が押し下げられる際に表布クッション体の周囲が上に引き上がる作用を発生させることにより、擦り減った印鑑の刻面の周囲にも、ある程度朱肉インキを付着させ、かつ表布クッション体周囲が印鑑の刻面の周囲上部に密着し、圧迫されない表布クッション体と、朱肉皿主部の内壁や印鑑の刻面の周囲との間に毛細管作用で朱肉インキが蓄積する位置を印鑑の刻面の周囲より上部に位置させる事ができうえ、わずかながら表布クッション体周囲が印鑑の周囲と朱肉皿内壁に入ることにより印鑑の刻面が接しないクッション体の周囲を圧迫することができる。
【００３３】
そして表布クッション体が上下する過程の朱肉皿主部（１４）の内壁に適度な高さと幅の上部狭窄部（２７）を設けることにより表布クッション体の周囲が押し上げられ、さらに周囲の擦り減った印鑑（２９）の刻面に朱肉インキを付着させる効果を高めることができるとともに、印鑑の刻面が当たらない表布クッション体の周囲もさらに圧迫してやることができる。したがって密度の低い表布クッション体の周囲の朱肉インキの含有量が高くなり朱肉インキが朱肉面の周囲に貯留される現象をある程度防ぐことができるとともに、朱肉インキが貯留した場合には、朱肉インキが貯留する位置（２８）を印鑑の刻面の周囲より上部に位置させることができるうえ、印鑑の刻面が離れる時には、圧迫されていたクッション体の周囲が復元される際にある程度朱肉インキを吸収するため捺印に影響を与えにくい。（図１６）
またこの機能は表布とクッション体を張り合わせた場合にも有効である。
【００３４】
また、表布クッション体が圧迫圧縮されることにより圧し出された朱肉インキは隔離板（７）と朱肉皿主部（１４）内壁の隙間と、隔離板（７）と液伝体（６）の隙間を通り環状空間（２６）に逃れるため、表布クッション体が朱肉インキをある程度過剰に含んだ際に、ある程度圧迫されても捺印が不明瞭になることはない。
【００３５】
そして液伝体（６）の直径を台バネの台足（２５）に接触しないほどに小さくすれば、液伝体（６）と、台バネ（８）や朱肉皿主部（１４）の内壁との間を朱肉インキが伝わらないため、圧力が加わった状態で長期間保管しても良好な捺印が可能となる。
【００３６】
そして隔離板（６）上に拡散布（５）を設置し、表布クッション体（２）の下面の面積より小さな縮小防止体（３）を設置し、その上に表布クッション体（２）を設置する。
【００３７】
クッション体は良好なクッション性と毛細管作用をもつ材質の材料を用いる必要があるが、現在の実験に使用している適度に弾力性と毛細管作用を合わせ持つ材料では（各種のフェルト、発砲ゴム、布等）長期間圧迫されると復元力が低下し圧縮され、密度が高くなり、程度の差はあるものの本来その材料のもつ毛細管作用を変化させ捺印に影響を与えると考える。そのことに対応するためクッション体の下部もしくは内部に、クッション体の上面もしくは下面の面積よりも小さい面積をもち、適度な厚さの圧迫されても体積の変化が大きくない材質をもつ板状もしくはリング状の物質の、縮小防止体を設置すると、縮小防止体に接する部分は圧迫圧縮されるが、ある程度圧縮されるとそれ以上は縮小しないため、縮小防止体に接していない部分のクッション体は極端に圧迫されない。
【００３８】
したがって長期間圧力が朱肉面に加わわり、縮小防止体（３）に接する表布クッション体（２）の部分が圧縮されて毛細管作用や復元力が低下しても、縮小防止体（３）に接しない表布クッション体の部分は、ある程度以上は圧迫されず復元力と毛細管作用をある程度損なわないため、拡散布（５）より朱肉インキを吸収し、表布クッション体（２）の表面に供給する、縮小防止体（３）の面積をある程度小さくしてやれば縮小防止体（３）に接した表布クッション体の毛細管作用が低下しても、毛細管作用の低下していない表布クッション体の部分からある程度朱肉インキが供給され、また表布クッション体（２）の表面と印鑑の刻面の間を朱肉インキが伝わるため捺印にむらを生じることもない。
【００３９】
そして、このクッション体と縮小防止体との組み合わせはクッション体の凹部、もしくは穴に埋め込むことによりクッション体の縮小を任意に調節できるため、弾力性の弱いスポンジや発砲ゴムの材料でも、常に朱肉面に圧力のかかる朱肉皿のクッション体として使用できると考える。特に布と一体成型する際に発砲ゴムの中に縮小防止体を入れることができれば、良好な毛細管作用をもち、軽く圧迫するだけで適量の朱肉インキを放出し、長期間圧迫されても復元力が低下しない理想的なクッション体を得ることができる可能性がある。
【００４０】
そして、クッション体と表布の間に朱肉インキが貯留し捺印が不明瞭となる問題に対応するために、良好な捺印を得ることを可能とするために繊維の直径が数ミクロン以下の超極細繊維で表面が密になるように、かつクッション性をもつように立体的に織られた生地を表布クッション体（２）として使用する。
【００４１】
繊維の直径が数ミクロン以下の超極細繊維で表面が一般の朱肉皿と同じぐらい、もしくはそれ以上に密に織られ、かつ程度に厚さと密度をもつように立体的に織られた生地は、一枚の布でありながら、表布とクッション体の機能を合わせ持ち、印鑑の刻面に良好に朱肉インキを付着させる能力と、織り方を調整すれば適度な毛細管作用とクッション性を合わせ持つため良好な捺印が可能で、表布とクッション体を張り合わせる必要がなく、したがって表布とクッション体の間に朱肉インキが貯留し、捺印が不明瞭になる問題を解決できる。また実験では化学繊維で立体的に織られ弾力性をもつ布（通称ニット生地）はフェルトや発砲ゴムに比べて長期間圧迫されても復元力を失いにくい成績を得ている。
【００４２】
そして保液室（１６）に吸蔵体をいれ朱肉インキを含ませる、もしくは朱肉インキを入れた後、朱肉皿支持体（１８）を設置する。朱肉インキを入れた場合は朱肉インキが漏れないように朱肉皿主部（１４）に朱肉皿支持体（１８）を接着し、吸蔵体を入れた場合は朱肉皿支持体（１８）を朱肉皿主部（１４）と接着せず軽い摩擦を発生させるだけで接続し、取り外し可能とすれば、印鑑ケースより朱肉皿を取り出し、朱肉皿支持体を外し、朱肉皿主部（１４）の下部より朱肉インキ滴を落とし、表布より朱肉インキを吸収しやすい吸蔵体に、直接朱肉インキ滴を落とすだけで補充が可能となる。
【００４３】
朱肉皿主部（１４）の下部の周囲は突起（３０）をもち、実願２０２０００８０２８６の印鑑ケースに対応しているため、その印鑑ケースを使用すると、朱肉皿支持体（１８）は下のバネと朱肉皿主部（１４）にはさまれる形となり朱肉皿支持体（１８）が使用中に朱肉皿主部（１４）より外れることはない。
【００４４】
《効果案の効果》
本発明は、上記したように構成されているため、次に記載する効果を奏する。
【００４５】
朱肉面が印鑑の刻面の面積をやや上回る程度の面積の朱肉皿でも擦り減った印鑑の刻面の周囲に朱肉インキを付着させることができる。
【００４６】
吸蔵体室をもつ朱肉皿や、朱肉タンクをもつ朱肉皿でも印鑑の刻面の周囲に朱肉インキが過剰に付着しない朱肉皿を提供できる。
【００４７】
吸蔵体室をもつ朱肉皿や、朱肉タンクをもつ朱肉皿が使い初めから良好な捺印が可能となり、使用開始後、長時間キャップを開けた後でも良好な捺印を得ることができる。
【００４８】
キャップを閉めている間は朱肉面に圧力がかかるタイプの筒状印鑑ケースで長期間使用してもクッション体の縮小を良好な捺印が可能な範囲に止める事ができる。
【００４９】
朱肉面の小さな朱肉皿のクッション体がある程度朱肉インキを過剰に含んだ際に圧迫されても朱肉面に捺印が不明瞭となるほどの朱肉インキがしみ出さない。
【００５０】
朱肉インキの供給量が安定しており、実願２０２０００８０２８６の印鑑ケースを使用することにより、卓上型の朱肉皿を使用するように刻面を朱肉皿に押し付ける圧力を調節したり、刻面の朱肉インキの付着量を気にする事なく印鑑ケースのキャップを取るだけで良好な捺印が可能となる。
【図面の簡単な説明】
【図１】朱肉面を保護するためのシールの立体図
【図２】表布クッション体の立体図
【図３】閉塞体を有する縮小防止体の立体図
【図４】拡散布の立体図
【図５】液伝体の立体図
【図６】隔離板の立体図
【図７】台バネの立体図
【図８】漏れ防止シールの立体図
【図９】貯液体の立体図
【図１０】閉塞板の立体図
【図１１】朱肉皿主部の立体図
【図１２】保液室液伝体の立体図
【図１３】保液室バネの立体図
【図１４】朱肉皿支持体の立体図
【図１５】台足を描いた台バネの立体図
【図１６】朱肉面に圧力がかかっていない状態の朱肉皿の断面図
【図１７】刻面の周囲が擦り減った印鑑により圧力が加えられた状態の朱肉皿の断面図
【図１８】朱肉皿の立体図
【図１９】実願２０２０００８０２８６の印鑑ケースの断面図
【符号の説明】
１，　シール
２，　表布クッション体
３，　縮小防止体
４，　閉塞体
５，　拡散布
６，　液伝体
７，　隔離板
８，　台バネ
９，　漏れ防止シール
１０，貯液体
１１，閉塞板
１２，保液室液伝体
１３，保液室バネ
１４，朱肉皿主部
１５，下部狭窄部
１６，保液室
１７，朱肉皿主部の隔壁
１８，朱肉皿支持体
１９，隔壁の通液穴
２０，閉塞板の穴
２１，貯液体の穴
２２，漏れ防止シール中央の穴
２３，漏れ防止シール周囲の穴
２４，隔離板の穴
２５，台足，
２６，環状空間
２７，上部狭窄部
２８，朱肉インキが貯留する位置
２９，刻面の周囲の擦り減った印鑑
３０，朱肉皿主部周囲の突起
【図１】
2004034676.tif 000003
【図２】
2004034676.tif 000004
【図３】
2004034676.tif 000005
【図４】
2004034676.tif 000006
【図５】
2004034676.tif 000007
【図６】
2004034676.tif 000008
【図７】
2004034676.tif 000009
【図８】
2004034676.tif 000010
【図９】
2004034676.tif 000011
【図１０】
2004034676.tif 000012
【図１１】
2004034676.tif 000013
【図１２】
2004034676.tif 000014
【図１３】
2004034676.tif 000015
【図１４】
2004034676.tif 000016
【図１５】
2004034676.tif 000017
【図１６】
2004034676.tif 000018
【図１７】
2004034676.tif 000019
【図１８】
2004034676.tif 000020
【図１９】
2004034676.tif 000021